(57)【要約】【課題】検眼レンズを顔の側面後方に傾けることができ、かつ検眼レンズを顔から遠ざける又は顔に近づけることができる検眼メガネを提供する。【解決手段】本発明の検眼メガネ（１００）は、一端が鼻定部にヒンジ結合され、他端が顔の前方側にも顔の後方側にも回動可能なメインレール（２）と、メインレールにスライド（ｃ）可能に装着されるスライド部材（４ａ）と、スライド部材の下部に設けられ、メインレールに直交するサブレール（２２）と、サブレールにスライド（ｈ）可能に吊り下げられる支持軸（２３）並びに支持板（２４）と、支持板に設けられる垂直軸（１６）と、一側が支持板に支えられ、垂直軸を中心に回動する角度調整部材（３０）と、角度調整部材の下部にフォークで取り付けられる検眼レンズ（９）と、を備える。【選択図】図１
2014176581.tif 000002
【特許請求の範囲】
【請求項１】
一端がヒンジ結合され、他端が顔の前方側にも顔の後方側にも回動可能なメインレールと、
前記メインレールにスライド可能に装着されるスライド部材と、
前記スライド部材の下部に、前記メインレールと直交するように設けられるサブレールと、
前記サブレールにスライド可能に吊り下げられる支持軸並びに支持板と、
前記支持板に設けられる垂直軸と、
一側が前記支持板に支えられ、前記垂直軸を中心に回動する角度調整部材と、
前記角度調整部材の下部にフォークで取り付けられる検眼レンズと、が備えられることを特徴とする検眼メガネ。
【請求項２】
前記角度調整部材は、顔の前方側にも顔の後方側にも回動可能であることを特徴とする請求項１に記載の検眼メガネ。
【発明の詳細な説明】
【技術分野】
【０００１】
本発明は、検眼メガネに係り、より詳細には、装着した検眼レンズを顔の側面後方に後退させるように傾けることができ、顔の形状に影響されずに検眼レンズの位置調節が容易にできる検眼メガネに関する。
【背景技術】
【０００２】
検眼メガネは、検眼レンズを装着して視力矯正の具合を確認するために使用される。検眼メガネは、メガネフレームを作るための仮枠でもあり、検眼メガネでの調整や確認が十分でないと、最終的なメガネを装着した時に違和感を覚えるものとなる。一般の検眼メガネは、検眼レンズを顔の側面後方に後退するように傾けることができず、スポーツ用メガネ（特許文献１参照）に対応できたものにはなっていない。
【０００３】
そこで、本出願人は特許文献２、３に示すようなスポーツ用メガネに対応した検眼メガネを提案した。特許文献２の検眼メガネは、鼻定部の左右にレールをヒンジ結合し、レールの他端を折り曲げ可能としたので、レールに取り付けた検眼レンズを顔の側面後方に傾けることができる。すなわち検眼レンズに後退角度を付与することができる。また、検眼レンズが、スライド部材を介してレールにスライド可能に装着されるので、検眼レンズの左右位置も調整することができる。
【０００４】
しかしながら、特許文献２の検眼メガネは、顔が比較的平坦な人の場合、レールを折り曲げると顔の左右角の部分にぶつかることがあり、レールを後方に十分に傾けることができなかった。そこで、特許文献３の検眼メガネは、スライド部材の下部に垂直軸を中心に回動する角度調整部材を設け、角度調整部材を回動することで、レールの折り曲げ量が少なくても、検眼レンズを顔の側面後方に傾けることができるようにした。
【０００５】
このように改善された引用文献３の検眼レンズであっても、検眼レンズを顔の側面後方に傾けた後に、検眼レンズを顔に近づけるまたは顔から遠ざける機構が望まれる。これは、検眼レンズの後退角度が良くても、検眼レンズが顔に近すぎてまつ毛にぶつかる場合や、あるいは検眼レンズが顔から遠すぎるといったことが起こり得るからである。すなわち検眼レンズはレールの下側にあって、レールに沿ってスライドさせて顔の側面後方に動かすことはできるが、顔の前後方向には動かせないことによる。
【先行技術文献】
【特許文献】
【０００６】
【特許文献１】特開平６−１２３８５４号公報
【特許文献２】特許公開２００９−２４７７７５号公報
【特許文献３】特許公開２０１２−２３９７０１号公報
【発明の概要】
【発明が解決しようとする課題】
【０００７】
本発明の目的は、このような問題点を解決するためになされたもので、検眼レンズを顔の側面後方に傾けることができ、かつ検眼レンズを顔から遠ざける又は顔に近づけることができる検眼メガネを提供することにある。
【課題を解決するための手段】
【０００８】
本発明による検眼メガネ（１００）は、一端がヒンジ結合され、他端が顔の前方側にも顔の後方側にも回動（ａ、ｂ）可能なメインレール（２）と、前記メインレールにスライド（ｃ）可能に装着されるスライド部材（４ａ）と、前記スライド部材（４ａ）の下部に、前記メインレールと直交するように設けられるサブレール（２２）と、前記サブレールにスライド（ｈ）可能に吊り下げられる支持軸（２３）並びに支持板（２４）と、前記支持板に設けられる垂直軸（１６）と、一側が前記支持板に支えられ、前記垂直軸を中心に回動（ｉ）する角度調整部材（３０）と、前記角度調整部材の下部にフォーク（１０）で取り付けられる検眼レンズ（９）と、が備えられることを特徴とする。
【０００９】
前記角度調整部材は、顔の前方側にも顔の後方側にも回動可能であることを特徴とする。
【発明の効果】
【００１０】
本発明による検眼メガネによれば、（１）サブレールから吊り下げられる支持軸並びに支持板をスライド（図１の符号ｈ）させることにより、検眼レンズを顔に近づけたり顔から離したりできる。これにより検眼レンズの後退角度が良くても顔に近すぎてまつ毛などにぶつかる場合は、検眼レンズを顔から遠ざけることができる。逆に検眼レンズの後退角度が良くても顔から遠い場合は、検眼レンズを顔に近づけることができる。（２）検眼レンズを顔の側面後方に傾けるには、メインレールを折り曲げるか及び又は角度調整部材を回動させることによる。検眼レンズに後退角度を付ける際、顔の形状、例えば目がくぼんでいる人や顔が角張っている人でも、状況に合わせて検眼レンズの後退角度を調整できる。（３）また、メインレールは、一端がヒンジ結合されて顔の前方側にも顔の後方側にも回動させるので、角度調整部材による検眼レンズの回動と合わせて、検眼レンズの後退角度の調整の範囲を大きくできる。例えば、メインレールをまず顔の後方に折り曲げて、次に角度調整部材で検眼レンズを回動させることにより、２段階の大きな角度が調整可能で、検眼レンズを顔の側面後方に大きく傾けることができる。また、例えば、メインレールを顔の前方側に回動し、次に角度調整部材で検眼レンズを回動させるなら、顔から離れるように検眼レンズを顔の側面後方に傾けることができる。
【００１１】
角度調整部材を顔の前方側にも顔の後方側にも回動可能としたので、メインレールから顔の後方側にのみ回動可能とした場合に比較して、検眼レンズの位置調整の範囲を広くできる。
【図面の簡単な説明】
【００１２】
【図１】本発明による検眼メガネの全体斜視図である。
【図２】図１のヒンジで、（Ａ）は正面図、（Ｂ）はＡ−Ａ断面図である。
【図３】図１の検眼レンズの取付けを示す斜視図である。（構成例１）
【図４】図３の支持板の裏面斜視図である。
【図５】図１とは別の検眼レンズの取付けを示す斜視図である。（構成例２）
【図６】図５の支持板の斜視図である。
【図７】図１のメインレールがヒンジで結合により顔の前方側にも顔の後方側にも回動することを示す斜視図である。
【図８】人の頭部の平面図であり、（Ａ）は、顔の正面側が比較的丸い場合、（Ｂ）は、顔の正面側が角張っている場合を示す。
【発明を実施するための形態】
【００１３】
以下、図面を参照して、本発明による検眼メガネを説明する。
【実施例】
【００１４】
図１は、本発明による検眼メガネの斜視図である。検眼メガネ１００は、一対の検眼レンズ９を有する。中央の鼻定部１には、鼻あて８が上下にスライド可能に設けられる。鼻定部１はメガネではブリッジと呼ばれる。鼻定部１の前面にはスリットが設けられ、鼻あて８がどの高さにあるかを示す針と目盛がある。鼻あて８は、止めネジで鼻定部に固定される。符号ｆは鼻あて８の高さ調整を示す。
【００１５】
鼻定部１の左右には、一対のメインレール２がヒンジ２１で結合される。ヒンジ２１は、鼻定部１に対してメインレール２を回動可能にできる。つまりメインレール２を折り曲げることができる。ヒンジ２１の貫通孔にはヒンジピン２５が挿入される。メインレール２を回動して、後方そり角度θ１を調整できる。後方そり角度θ１は、鼻定部１上面の角度目盛で読み取る。符号ａはメインレール２の後方そり角度θ１の調整を示す。同様に、メインレール２を回動して、前方そり角度θ２を調整できる。符号ｂはメインレール２の前方そり角度θ２の調整を示す。なお、メインレール２を軽量にするため、上面が平坦なＬ型のレールを使用した。これに限らず、メインレール２を円筒型のレールとすることもできる。また、ヒンジ２１は鼻定部１の両側に設けたが、鼻あて８の高さ調整がないような構成では、両側のメインレール２がヒンジで直接結合してもよい。
【００１６】
メインレール２には、スライド部材４が設けられる。符号４ａは、検眼レンズ用のスライド部材である。符号４ｂは、智用のスライド部材である。スライド部材４ａをスライド（符号ｃ）させることにより、下部のフォーク１０に保持された検眼レンズ９を左右方向にスライドさせることができる。これにより、目の位置に合わせて検眼レンズ９を左右方向に動かすことができる。スライド位置を確定したら、スライド部材４ａを止めネジでメインレール２に固定する。スライド部材４ａの位置は、メインレール２上面の目盛で読み取ることができる。スライド部材４ａをスライド（符号ｃ）させることにより、検眼レンズ９の左右位置の調整を行なう。符号ｅで示すように、フォーク１０の左右両端部のネジ１７を緩めまた締めることで、検眼レンズ９の前傾角度を調整できる。前傾角度は、目盛（図示せず）で読み取ることができる。
【００１７】
スライド部材４ｂの下部には智３が連結される。これにより智３がスライド可能となるので、顔幅が広い人にも狭い人にも対応できる。スライドが確定したら止めネジでレール２に固定し、メインレール２上面の目盛で位置を読み取ることができる。智３の一端にはネジ１９で固定されるヒンジを介してテンプル６が取り付けられる。符号ｄは、左右の智３、３間の幅調整を示す。
【００１８】
テンプル６は、鞘６ａに挿入されており、引き出して長さ調整が可能である。長さが確定したら止めネジで固定する。符号ｇはテンプル６の長さ調整を示す。これにより耳から目までの距離が長い人にも対応できる。
【００１９】
テンプル６の鞘６ａの端部には、耳あて７が回動可能に取り付けられる。回動角度が確定したら止めネジで固定する。回動角度は、針の指す目盛で読み取ることができる。符号ｊは耳あて７の回動角度の調整を示す。
【００２０】
図２は、図１のヒンジ２１であり、（Ａ）はヒンジ２１の正面図、（Ｂ）はＡ−Ａ断面図である。図２（Ａ）に示すように、ヒンジピン２５には、全周に渡って軸方向に伸びる山谷部２７が設けられ、同様の山谷部が鼻定部１のヒンジ孔にも設けられる。そしてヒンジピン２５は鼻定部１に固定される。一方、図２（Ｂ）に示すように、メインレール２のヒンジ孔には、ヒンジピン２５の山谷部２７に係合する突起２８が設けられる。突起２８にはバネが組み込まれており、メインレール２を回動させると、突起２８が山谷部２７の山部によって押し上げられ、谷部に至るとバネで押し下げられて安定係合する。これにより後方そり角度θ１、前方そり角度θ２を山谷部２７のピッチで歩進させることができる。
【００２１】
図３は、図１の検眼レンズの取付けを示す斜視図（構成例１）である。図３は検眼レンズ９の右目の部分を顔の側から見た図である。スライド部材４ａは、メインレール２にスライド可能に取り付けられ、その下部には、メインレール２に直交するようにサブレール２２が設けられる。サブレール２２には、支持軸２３がスライド可能に取り付けられ、支持軸２３の底部には支持板２４が設けられる。ボルトからなる垂直軸１６が、支持板２４の鼻定部１の側に偏移した位置に設けられる。支持板２４の下側に板状の角度調整部材３０が、垂直軸１６を中心軸にして回動するように取り付けられる。垂直軸１６が鼻定部１の側に偏移しているので、図３の右目の場合で説明すると、検眼レンズ９の右側が顔の側面後方に移動し、検眼レンズ９の左側が顔の前方に大きく移動しないようにできる。支持板２４の一側が折り曲げられ角度調整部材３０を支えている。角度調整部材３０の下部には、検眼レンズ９を装着したレンズホルダー５を挟むフォーク１０が連結される。符号ｈは、支持軸並びに支持板のスライドを示す。これにより、検眼レンズ９を顔に近づける、または顔から遠ざける調整ができる。すなわち検眼レンズ９の前後位置を調整できる。符号ｉは、回動角度θ３の調整を示す。
【００２２】
図４は、支持板２４の裏面斜視図である。支持板２４の裏側には、これに限るものではないが６つの係合孔１３が設けられる。各係合孔１３は、回動角度の０度、５度、１０度、１５度、２０度、２５度に対応している。一方、角度調整部材７の回動板７ａには係合ボール１４が設けられる。回動角度θ３を設定する際、係合孔１３に係合ボール１４が係合するように角度調整部材７を回動する。これにより操作感覚が確実に得られ、回動角度が小さな角度でも設定できる。なお、１回で動かす角度は５度に限られるものではなく、さらに小さな角度で回動してもよい。最大の回動角度は２５度より大きくしてもよい。この構成例では、０度がメインレール２と同じ方向で、顔の後方側に回動させる角度としたが、顔の前方側に回動させるマイナス角度を設けることもできる。
【００２３】
図５は、図１とは別の検眼レンズの取付けを示す斜視図（構成例２）である。図５の検眼レンズ９は、左目に対応した部分を顔の前方から見た図である。構成例２の支持板２４は幅の小さな板でよい。スライド部材４ａが、メインレール２にスライド可能に取り付けられ、その下部に、サブレール２２がメインレール２に直交するように設けられる。サブレール２２には、支持軸２３がスライド可能に取り付けられ、支持軸２３の底部には支持板２４が設けられる。ボルトからなる垂直軸１６が、支持板２４に設けられる。支持板２４の下側に、角度調整部材３０が垂直軸１６を中心軸にして回動するように取り付けられる。回動の方向は、検眼レンズ９が顔の前方側にも顔の後方側にも自在に回動できる。角度調整部材３０の下部には、検眼レンズ９を装着したレンズホルダー５を挟むフォーク１０が連結される。
【００２４】
図６は、図５の支持板の斜視図である。垂直軸１６には、Ｌ型で円筒状の角度調整部材３０が回動可能に取り付けられる。角度調整部材３０の上端には回動角度を示す三角形の突起１８があり、下側に係合ボール１４が設けられる。また、支持板２４には回動角度を設定する係合孔１３が設けられる。各係合孔１３は回動角度の０度、５度、１０度、１５度、２０度、２５度に対応する。回動角度θ３を設定する場合、この係合孔１３に、係合ボール１４が係合するように角度調整部材３０をつかんで回動させる。なお、垂直軸１６は、左側の鼻定部１（図示せず）に近い位置にあって、検眼レンズ９の中心を通る位置からは偏移させている。そのため検眼レンズ９を顔の側面後方に回動させても、検眼レンズ９の鼻側が顔の前方に大きく移動しないようにできる。
【００２５】
図７は、図１の鼻定部１から左右に延びるメインレール２がヒンジ２１で結合され、顔の前方側にも顔の後方側にも回動することを示す斜視図である。θ１が後方そり角度であり、θ２が前方そり角である。すなわちメインレール２は前方にも後方にも回動できる。検眼レンズ９の後退角度をＳｄとすると、Ｓｄ＝θ１＋θ３、もしくは、Ｓｄ＝θ３−θ２の関係がある。θ３は、角度調整部材３０の回動角度である。
【００２６】
図８は、人の頭部の平面図であり、図８（Ａ）は顔の正面側が比較的丸い場合、図８（Ｂ）は顔の正面側が角張っている場合を示す。図８（Ａ）の右側に示すように、検眼メガネ１００を掛けた状態で、検眼レンズ９を顔の側面後方に傾けて後退角度を付けるには、メインレール２を後方そり角度θ１だけ回動する。目がくぼんでいて、検眼レンズ９が顔から遠い場合、支持軸２３をサブレール２２に沿って顔の側にスライドさせればよい。後方そり角度θ１だけでは角度が足りない場合、角度調整部材３０を調整して回動角度θ３を加えれば、さらに大きな後退角度Ｓｄ（＝θ１＋θ３）にできる。
【００２７】
図８（ｂ）の右側に示すように、顔が角張っている人の場合、検眼メガネ１００を掛けた状態で、メインレール２に大きな後方そり角度θ１を与えることはできない。小さな後方そり角度であっても、検眼レンズ９がまつ毛などに接触する場合には支持軸２３をサブレール２２に沿って顔から離れる側にスライドさせる。図８（ｂ）の左側に示すように、メインレール２に前方そり角度θ２を与えて顔から離し、その後、角度調整部材３０を回動して回動角度θ３を調整すれば、顔や目に接触せず、検眼レンズ９に所定の後退角度Ｓｄ（＝θ３−θ２）を与えることができる。
【産業上の利用可能性】
【００２８】
本発明は、スポーツ用メガネの検眼メガネとして好適である。
【符号の説明】
【００２９】
１    鼻定部
２    メインレール
３    智
４    スライド部材
４ａ、４ｂ    スライド部材
５    レンズホルダー
６    テンプル
６ａ    鞘
７    耳あて
８    鼻あて
９    検眼レンズ
１０    フォーク
１３    係合孔
１４    係合ボール
１６    垂直軸
１７    ネジ
１８    突起
１９    ネジ
２１    ヒンジ
２２    サブレール
２３    支持軸
２４    支持板
２５    ヒンジピン
２７    山谷部
２８    突起
３０    角度調整部材
１００    検眼メガネ
ａ    メインレールの後方そり角度調整
ｂ    メインレールの前方そり角度調整
ｃ    スライド部材のスライド（検眼レンズの左右位置調整）
ｄ    左右智間の幅調整
ｅ    検眼レンズの前傾角度調整
ｆ    鼻あて高さ調整
ｇ    テンプルの長さ調整
ｈ    支持軸並びに支持板のスライド（検眼レンズの前後位置調整）
ｉ    回動角度調整
ｊ    耳あての角度調整
θ１    後方そり角度
θ２    前方そり角度
θ３    回動角度
【図１】
2014176581.tif 000003
【図２】
2014176581.tif 000004
【図３】
2014176581.tif 000005
【図４】
2014176581.tif 000006
【図５】
2014176581.tif 000007
【図６】
2014176581.tif 000008
【図７】
2014176581.tif 000009
【図８】
2014176581.tif 000010